【事件の表示】
　平成８年特許願第７５４６５号「小形巻線部品のフエライトコア」拒絶査定不服審判事件〔平成９年９月１９日出願公開、特開平９−２４６０５９〕について、次のとおり審決する。
【結　論】
　本件審判の請求は、成り立たない。
【理　由】
　
第１　手続の経緯　
　
　本願は、平成８年３月６日の出願であって、平成１７年７月２７日付けで拒絶査定がなされ、これに対し、同年８月３０日に拒絶査定に対する審判請求及び手続補正がなされ、その後、当審において、平成１９年５月１１日付けで審尋がなされ、同年７月１９日に回答書が提出され、さらに、平成２０年６月２４日付けで平成１７年８月３０日付けの手続補正が却下されるとともに、同年８月１９日付けで拒絶理由が通知され、その指定期間内の同年１０月２０日付けで手続補正がなされたものである。　
　
第２　本願発明　
　
　本願の請求項１に係る発明（以下「本願発明」という。）は、平成２０年１０月２０日付け手続補正書の特許請求の範囲の請求項１に記載された事項により特定される、以下のとおりのものである。　
　
　「　【請求項１】　
　コア側部、天井部、ヨ−ク部を一体形成し、脚心に直交方向の断面がコ字形の周囲コアからなる外脚と、前記ヨ−ク部から周囲コア内に突出させた内部コアからなる内脚とを有する少なくとも一つの脚付コアと、この脚付コアの脚先端面を接合させるＩ形コアとよりなる小形巻線部品のフエライトコアにおいて、前記脚付コアは、外脚と内脚コアの各脚を同じ脚長に形成すると共に、前記Ｉ形コアは、周囲コアからなる前記外脚のコ字形先端面全体を接合させるように板状形成し、かつ、前記外脚のコ字形先端面の接合面内領域を凹部形成し、前記脚付コアの外脚先端面をＩ形コアに接合させることにより、前記脚付コアの内脚先端面と前記Ｉ形コアの凹部底との間にギャップが形成される構成としたことを特徴とする小形巻線部品のフエライトコア。」　
　
第３　刊行物に記載された発明　
　
１　刊行物１：実願昭６１−７１５０１号（実開昭６２−１８２５２０号）のマイクロフイルム　
　
　当審の拒絶の理由に引用され、本願の出願前に日本国内において頒布された刊行物１には、「インバータトランス」に関して、第１図ないし第４図とともに、以下の事項が記載されている。（なお、下線は、引用箇所のうち特に強調する部分に付した。以下、同様。）　
　
（１）　「合成樹脂製のボビンに巻回されてなるコイルと、前記ボビンを挿通保持する
磁気中心軸を有するＥ字状コア体と
Ｅ字状コア体の開放端部に当接
するＩ字状コア体とより成る
Ｅ字状コア体の外側の一対のコアに跨る矩形の側面コア
（２）　「本考案は
小型の充電式電気機器に用いられるインバータトランス
コアの構造
（３）　「
Ｅ字状
コア体（３）の磁気中心軸（４）
外側の一対のコア（６）（７）
に跨って矩形の側面
コア（８）が設けられ
（４）　「図面の簡単な説明　・・・
第２図はフェライトコア体の分解斜視図
（５）　第２図には、インバータトランスのコア体の構造として、以下アないしカの事項が示されている。　
　（なお、以下では、用語の不統一を避けるため、「図面の簡単な説明」の欄に記載のとおりに、参照符号が「（３）」の部材、参照符号が「（８）」の部位は、それぞれ、「Ｅ字状コア体（３）」、「側面コア（８）」と、表示する。）　
ア　フェライトコア体は、Ｅ字状コア体（３）とＩ字状コア体（５）とからなる。　
イ　前記Ｅ字状コア体（３）は、磁気中心軸（４）、外側の一対のコア（６）（７）、及び前記外側の一対のコア（６）（７）に跨った
矩形の側面コア（８）
ウ　前記外側の一対のコア（６）（７）及び前記
矩形の側面コア（８）
の断面は逆コ字形
エ　前記
Ｅ字状コア体（３）の奥中央部から、磁気中心軸（４）が、前記外側の一対のコア（６）（７）及び前記矩形の側面コア（８）の内部に、大きな長方形断面の柱状に、突き出ている
オ　前記Ｅ字状コア体（３）を構成する
前記外側の一対のコア（６）（７）、前記矩形の側面コア（８）及び前記磁気中心軸（４）三者相互間には継ぎ目が見られない
　
（６）　以上（１）ないし（５）から、刊行物１には、　
　「外側の一対のコア（６）（７）と矩形の側面コア（８）と磁気中心軸（４）を備えたＥ字状コア体（３）であって、前記外側の一対のコア（６）（７）と前記矩形の側面コア（８）は、前記矩形の側面コア（８）に直交方向の断面で逆コ字形をしており、前記Ｅ字状コア体（３）の奥中央部から、前記外側の一対のコア（６）（７）及び前記矩形の側面コア（８）の内部に、前記磁気中心軸（４）が大きな長方形断面の柱状に突き出ており、　
　かつ前記外側の一対のコア（６）（７）と前記矩形の側面コア（８）及び前記磁気中心軸（４）三者相互間には継ぎ目は見られず、　
　さらに、前記Ｅ字状コア体（３）の開放端部に当接するＩ字状コア体 （５）からなるフェライトコア体を備えた、　
　小型の充電式電気機器に用いられるインバータトランス。」（以下「引用発明」という。）　
　が記載されている。　
　
２　刊行物２：特開昭５９−１０１８０８号公報　
　
　当審の拒絶の理由に引用され、本願の出願前に日本国内において頒布された刊行物２には、「ＵＥ型磁心」に関して、第１図ないし第３図とともに、以下の事項が記載されている。　
　
（１）　「一般的に電源用チョークトランスなどに用いられるＥＩ型磁心の平面図を第１図に示す。このようなＥＩ型磁心は、つき合わせる面を研磨する必要がある。そして、この
研磨工程というのは高度な技術を要するものであり、
高コストの原因ともなっている
中脚において空隙を設ける場合が多多ある。この場合、
中脚のみを研磨して適当な長さにする。
中脚のみ研磨する技術は、普通の研磨工程にもまして非常に高度な技術を要するものである。
高コスト
（２）　「第３図は本発明の一実施例の正面図である。Ｅ型磁心１は普通のＥ型磁心であり、
中脚のみ特別に研磨するという必要はない
Ｅ型磁心の両端脚１１，１２に係合する２本の脚２１，２２を有するＵ型磁心２と前記Ｅ型磁心１とを係合させることにより
中脚部において、空隙を有するＥＩ型コアと同等のＵＥ型磁心を得る
中脚部における空隙の調整は、Ｕ型磁心を研磨して行えばよく、従来のように、Ｅ型磁心の中脚のみを研磨して空隙の調整するよりは非常に容易にできる
（３）　「図面の簡単な説明　第１図は、従来のＥＩ型磁心の正面図であり、第２図は従来の空隙付きＥＩ型磁心の正面図であり、第３図は、本発明の一実施例の正面図である。　１　…Ｅ型磁心　２　…Ｕ型磁心」（第２頁左上欄１５〜１９行目。「図面の簡単な説明」の欄）　
（４）　第３図には、本発明（ＥＵ型磁心）の一実施例の正面図として、以下アないしエの事項が示されている。　
ア　
Ｅ型磁心１の両端脚１１，１２と中脚１３それぞれの脚長が同じである。
イ　前記Ｅ型磁心１の両端脚１１，１２と前記Ｕ型磁心２の「Ｕ型」の両端にそれぞれ形成されている前記２本の脚２１，２２とがそれぞれ係合している。　
ウ　前記Ｕ型磁心２は、前記Ｅ型磁心１の中脚１３に対向する箇所に
空隙を有している
エ　
“Ｕ型磁心２”は
“コ字型”の形状
　
３　刊行物３：実願昭５８−２３９１０号（実開昭５９−１３１１２８号）のマイクロフィルム　
　
　当審の拒絶の理由に引用され、本願の出願前に日本国内において頒布された刊行物３には、「ＥＩ型フェライトコア」に関して、第１図及び第２図とともに、以下の事項が記載されている。　
　
（１）　「ＥＩ型フェライトコアにおいて、
Ｉ型コアのＥ型コアに対向する面
の中央部にギャップ溝を設けた
ＥＩ型フェライトコア
（２）　「従来のＥＩ型フェライトコアで、
Ｉ型コアの中央部でＥ型コアに対向する面にギャップ溝をつけてＥ型とＩ型の間にギャップを設けた
（３）　「この従来のＩ型コアにおいて、
Ｅ型コアに対向する面にギャップ溝５が設けてあり、ギャップを作る工程を省略するものである
（４）　「第２図は、本考案に係る一実施例の斜視図である。
Ｉ型コア７のＥ型コア８に対向する面９
には中央部にギャップ溝１１，１２が設けてある
（５）　「第１図は従来のＥＩ型フェライトコアの斜視図であり、第２図は本考案に係る一実施例の斜視図である。　７…Ｉ型コア、８…Ｅ型コア、１１，１２…ギャップ溝。」（明細書第３頁４〜８行目。
「図面の簡単な説明」
（６）　第１図には、従来のＥＩ型フェライトコアの斜視図として、以下ア及びイの事項が示されている。　
　（ただし、参照符号「１」、「２」、「３」がそれぞれ指す部位は、「図面の簡単な説明」の欄をも含め、明細書に記載はないが、「１」及び「３」は、本願発明の言葉を借りれば、「脚心に直交方向の断面がコ字形の周囲コア」の「先端面」、「２」は、同じく本願発明の言葉を借りれば、「内部コア」の先端面、であり、そして、上記（４）の記載から、参照符号「６」が示す部材、参照符号「４」が示す部位は、それぞれ、「Ｉ型コア６」、「Ｉ型コア６のＥ型コアに対向する面」である。）　
ア　参照符号「１」、「２」、「３」で示されている各部位の長さは同じである。
イ　Ｅ型コアに対向するＩ型コア６の面４の中央部にギャップ溝５が形成されている。　
（７）　第２図には、本考案に係る一実施例の斜視図として、以下ア及びイの事項が示されている。　
ア　Ｅ型コアの両端と中央の脚が、同じ長さである。　
イ　
Ｉ型コア７のＥ型コア８に対向する面９にギャップ溝１１
　
４　刊行物４：実願昭５９−５０６８３号（実開昭６０−１６３７１９号）のマイクロフィルム　
　
　当審の拒絶の理由に引用され、本願の出願前に日本国内において頒布された刊行物４には、「ＥＩコア」に関して、第１図ないし第４図とともに、以下の事項が記載されている。　
　
（１）　「＜従来技術＞　・・・
ＥＩコア
内部の磁気飽和を軽減させる目的でギャップを付ける
Ｅコアのセンターレッグを予め研磨しておき
Ｅコアのセンターレッグと Ｉコアとの間に形成されるギャップ
（２）　「＜考案の構成＞　・・・この考案のＥＩコアは、
Ｉコアの
面の中央部にＥコアのセンターレッグとのギャップ形成用の溝を
設けた
（３）　「＜実施例＞　　この考案の如き溝をＥＩコアに設けた状態を第１図に示す。同図において
Ｉコア１の中央部２に形成された溝５
によってＥコア３のセンターレッグ４との間には所定のギャップが形成される
（４）　「４．図面の簡単な説明　第１図は
Ｉコアの中央部にＥコアとのギャップ形成用の溝を設けたＥＩコア
（５）　第１図ないし第４図には、以下ア及びイの事項が示されている。　
ア　ＥＩコアにおけるＥコアの
センターレッグ４の長さがＥコアの外側の両レッグと同じ長さ
イ　Ｅコアに対向する側の
Ｉコア１，７，８に、Ｅコアのセンターレッグ４に対向した溝５，６，１０，１１，１２が、前記センターレッグ４の横方向幅より大きく、設けられている
　
５　刊行物５：特開昭５９−５５００８号公報　
　
　当審の拒絶の理由に引用され、本願の出願前に日本国内において頒布された刊行物５には、「フェライトコアの製造方法」に関して、図面第１図ないし第６図とともに、以下の事項が記載されている。　
　
（１）　「従来例の構成とその問題点　・・・
従来は、
発明の目的
本発明は、
フェライトコアの加工工数を下げ、安価なコアが製造可能なフェライトコアの製造方法を提供するものである
（２）　「発明の構成　上記目的を達成するために本発明は、・・・
従来のような
研磨
工程が省けるので歩留りがよくなり、安価に製造することができる
（３）「第５図のように、
Ｉ型コア８の
Ｅ型コアの中央磁脚と対向する部分に、ギャップ９を設け
（４）　「４、図面の簡単な説明　・・・第５図は
同フェライトコアのＩ型コアにギャップを設けた
（５）　第５図には、以下アないしウの事項が示されている。　
ア　
Ｅ型コアの両外側磁脚
と中央磁脚の長さが同じ
イ　前記
Ｅ型コアの両外側磁脚
の各幅と
Ｉ型コア８のギャップ９が形成されていない両端部分の各幅が同じ
ウ　
Ｉ型コア８のＥ型コア３側に、前記Ｅ型コア３の中央磁脚と対向する箇所から前記Ｅ型コアの両外側磁脚（３ａ，３ｂ）の内端面に至る部分全面にわたってギャップ９が形成
　
第４　本願発明と引用発明との対比・判断　
　
１　本願発明と引用発明とを対比する。　
　
（１）　本願発明の「周囲コアからなる外脚」との文言については、本願明細書及び図面の記載事項並びに技術常識に照らすと、「周囲コア」と「外脚」は、同じ部位を指すものと解され、同様に、本願発明の「内部コアからなる内脚」との文言についても、「内部コア」と「中脚」は、同じ部位を指すものと解される。　
　
（２）　引用発明の「外側の一対のコア（６）（７）」、「矩形の側面コア（８）」、「磁気中心軸（４）」、「Ｉ字状コア体 （５）」、「フェライトコア体を備えた小型の充電式電気機器に用いられるインバータトランス」は、それぞれ本願発明の「コア側部」、「天井部」、「内部コア」、「Ｉ形コア」、「天井部」、「小形巻線部品のフエライトコア」に相当する。　
　
（３）　引用発明の「外側の一対のコア（６）（７）と矩形の側面コア（８）」は、本願発明の「周囲コア」に相当する。　
　
（４）　引用発明における「Ｅ字状コア体（３）」の後方部位は、本願発明の「ヨーク部」に相当する。　
　
（５）　引用発明の「外側の一対のコア（６）（７）」と「矩形の側面コア（８）」からなる部分は、「矩形の側面コア（８）」に「直交方向」（本願発明の「脚心に直交方向」に相当。）の「断面」が、本願発明と同じく、「コ字形」をしていることは、明らかである。　
　
（６）　引用発明で、「外側の一対のコア（６）（７）と矩形の側面コア（８）及び磁気中心軸（４）三者相互の間には継ぎ目が見られ」ないということは、本願発明の、「コア側部、天井部、ヨ−ク部を一体形成」するということに相当する。　
　
（７）　引用発明で、「Ｉ字状コア体（５）」が「前記Ｅ字状コア体（３）の開放端部に当接する」ということは、本願発明での、「前記Ｉ形コアは、周囲コアからなる前記外脚のコ字形先端面全体を接合させるように板状形成し」ということ及び「前記脚付コアの外脚先端面をＩ形コアに接合させる」ということに相当する。　
　
２　本願発明と引用発明との一致点及び相違点　
　
　上記「１」のとおりであるから、本願発明と引用発明は、　
　
　「コア側部、天井部、ヨ−ク部を一体形成し、脚心に直交方向の断面がコ字形の周囲コアからなる外脚と、前記ヨ−ク部から周囲コア内に突出させた内部コアからなる内脚とを有する少なくとも一つの脚付コアと、この脚付コアの脚先端面を接合させるＩ形コアとよりなる小形巻線部品のフエライトコアにおいて、前記脚付コアは、外脚と内脚コアの各脚を同じ脚長に形成すると共に、前記Ｉ形コアは、周囲コアからなる前記外脚のコ字形先端面全体を接合させるように板状形成し、かつ、前記外脚のコ字形先端面の接合面内領域を凹部形成し、前記脚付コアの外脚先端面をＩ形コアに接合させることにより、前記脚付コアの内脚先端面と前記Ｉ形コアの凹部底との間にギャップが形成される構成としたことを特徴とする小形巻線部品のフエライトコア。」である点で一致し、以下の３点で相違する。　
　
（１）［相違点１］　本願発明の「脚付コアは、外脚と内脚コアの各脚を同じ脚長に形成する」のに対して、引用発明の「Ｅ字状コア体（３）」は、「外側の一対のコア（６）（７）」と「磁気中心軸（４）」の各脚を同じ脚長に形成するか否か不明である点。　
　
（２）［相違点２］　本願発明の「Ｉ形コア」は、「前記外脚のコ字形先端面の接合面内領域を凹部形成」するのに対して、引用発明の「Ｉ字状コア体（５）」は、「磁気中心軸（４）」の対向面をも含めた「外側の一対のコア（６）（７）」の内方での対向面に凹部を形成するか否か不明である点。　
　
（３）［相違点３］　本願発明は、「前記脚付コアの内脚先端面と前記Ｉ形コアの凹部底との間にギャップが形成される」のに対して、引用発明は、「Ｅ字状コア体（３）」の「磁気中心軸（４」）先端面と「Ｉ字状コア体（５）」との間にギャップが形成されているか否か不明である点。　
　
３　各相違点についての検討　
　
　上記[相違点１]ないし[相違点３]は、互いに関連するものであるから、まとめて検討する。　
　
　一般に、フェライトコアにおいて、磁気飽和を抑制することを目的として磁路中にギャップを設けることは、刊行物２ないし刊行物５に記載されているように当業者における技術常識であるから、引用発明において、「Ｉ字状コア体（５）」と「磁気中心軸（４）」との間に、ギャップを設けることは、当業者が必要に応じ、適宜なし得たことである。　
　そして、引用発明は、「Ｉ字状コア体（５）」と対向する「Ｅ字状コア体（３）」の形状が、刊行物１の第２図に示されているように、「外側の一対のコア（６）（７）」及び「矩形の側面コア（８）」の中央部に「磁気中心軸（４）」を備えた構造となっているため、上記ギャップを設けようとする際に、刊行物２ないし刊行物５に記載されている、ＥＩ型コアと共通する問題、すなわち、「磁気中心軸（４）」のみを研磨することは、ＥＩ型コアにおいてＥ型コアの中心部にある脚部のみを研磨することと同様に、高度な技術を必要とし、これにより、コスト高を招く等の問題が存在することは、当業者が自明に察知可能であるものと認められる。　
　したがって、引用発明に対して、ＥＩ型コアに関する発明である刊行物２ないし刊行物５に記載された発明を適用し、「磁気中心軸（４）」のみを研磨することなく、「外側の一対のコア（６）（７）」、「矩形の側面コア（８）」及び「磁気中心軸（４）」を同じ脚長とし、「Ｉ字状コア体（５）」の「外側の一対のコア（６）（７）」及び「矩形の側面コア（８）」との接合面内の領域を凹部に形成し、「磁気中心軸（４）」の先端面と「Ｉ字状コア体（５）」の凹部底との間にギャップが形成される構成とすること、すなわち、本願発明のように、「前記脚付コアは、外脚と内脚コアの各脚を同じ脚長に形成すると共に、前記Ｉ形コアは、」「前記外脚のコ字形先端面の接合面内領域を凹部形成し、」「前記脚付コアの内脚先端面と前記Ｉ形コアの凹部底との間にギャップが形成される構成と」とすることは、当業者が容易になし得たことである。　
　
第５　むすび　
　
　以上のとおり、本願発明は、刊行物１ないし刊行物５に記載された発明に基いて、当業者が容易に発明をすることができたものであるから、特許法第２９条第２項の規定により特許を受けることができない。　
　
　よって、結論のとおり審決する。